(57)【要約】【課題】  施設内を走行移動し、作業を行う移動作業台車に送風ファンを設けて、主として作業者に向け直接送風するようにした送風ファンを備えた施設内移動作業台車の提供。【解決手段】  温室やビニールハウスなどの施設内を走行移動し、作業を行う移動作業台車１であって、移動作業台車１に、バッテリ１３を電源として作動する送風ファン１１を、上下高さ、水平角度、前後角度をそれぞれ調節可能に設け、主として作業者に向け送風するようにした。移動作業台車１にソーラーパネル１６を、受光方向及び受光角度を調節可能に取付け、ソーラーパネル１６により発電した電力をバッテリ１３に充電する。そして、高温・多湿・無風状態の施設内においても、作業者は快適に作業することができる。また移動作業台車は、中山間地域の商業電気配線の整備されていない施設においても、適正に利用することができる。【選択図】図１
2006000073.tif 000002
【特許請求の範囲】
【請求項１】
温室やビニールハウスなどの施設内を走行移動し、作業を行う移動作業台車であって、
前記移動作業台車に、バッテリを電源として作動する送風ファンを、上下高さ、水平角度、前後角度をそれぞれ調節可能に設け、主として作業者に向け送風するようにしたことを特徴とする送風ファンを備えた施設内移動作業台車。
【請求項２】
前記移動作業台車にソーラーパネルを、受光方向及び受光角度を調節可能に取付け、該ソーラーパネルにより発電した電力を前記バッテリに充電することを特徴とする請求項１記載の送風ファンを備えた施設内移動作業台車。
【発明の詳細な説明】
【技術分野】
【０００１】
本発明は、温室やビニールハウスなどの施設内を走行移動し、作業を行う移動作業台車に送風ファンを設けて、主として作業者に向け直接送風するようにした送風ファンを備えた施設内移動作業台車に関する。
【背景技術】
【０００２】
温室やビニールハウスなどの施設内は、日中はほとんど外気より高温、多湿になってあり、作業者にとっての作業環境は劣悪となっている。特に、主として葉菜類を栽培する施設園芸においては、減・無農薬栽培を実現するために、雨よけハウスの開口部を防虫ネットで被覆して害虫の進入を防止するようにしている。このため、防虫ネットがハウス内外の換気を抑制し、高温期のハウス内は外気よりもさらに暑く、高湿度となり、しかも気流がほとんどない状態となることから、作業環境はいっそう悪化することになる。施設には、固定式の送風機（換気扇）を設けたものもあるが、作業者に風が直接当って快適な作業が行える場合はほとんどない。
【０００３】
一方、施設内を走行移動して作業を行う移動作業台車としては、例えば特許文献１に開示されているような、本体１の前端及び後端に、上方に延びた延設部材２，３を前後方向に進退自在に取付け、該本体１の下部の左右に取付けたそれぞれの車輪支持部材８，８の側面に、前後方向に２個以上の固定車輪９，９…を列設したアルミニウム合金製運搬台車が知られている。
【０００４】
【特許文献１】特開平８−２４４６１８号公報
【発明の開示】
【発明が解決しようとする課題】
【０００５】
上記先行技術のアルミニウム合金製運搬台車は、ビニールハウス内や狭い畑地で使用すると、機動性に優れ、軽量で多目的に利用できる利点がある。しかし、上記雨よけハウスの開口部を防虫ネットで被覆したようなハウス内で使用しようとすると、従来周知の移動作業台車と同様に、高温、多湿、かつ気流がほとんどない環境下において作業することになるので、作業者の作業環境は劣悪なものとなる。
【０００６】
そこで本発明は、施設内を走行移動して作業を行う移動作業台車に送風ファンを設け、この送風ファンにより主として作業者に向け送風するようにし、作業者の作業環境を良くして快適に作業をすることができるようにした，送風ファンを備えた施設内移動作業台車を提供しようとするものである。
【課題を解決するための手段】
【０００７】
上記の目的を達成するために、本発明は、以下の構成を有することを特徴としている。
Ａ．温室やビニールハウスなどの施設内を走行移動し、作業を行う移動作業台車であって、
前記移動作業台車に、バッテリを電源として作動する送風ファンを、上下高さ、水平角度、前後角度をそれぞれ調節可能に設け、主として作業者に向け送風するようにした。
【０００８】
Ｂ．前記移動作業台車にソーラーパネルを、受光方向及び受光角度を調節可能に取付け、該ソーラーパネルにより発電した電力を前記バッテリに充電する。
【発明の効果】
【０００９】
本発明は、上記Ａ．（請求項１）及びＢ．（請求項２）の構成、手段を有することにより、以下の効果を奏することができる。
イ．上記Ａ．の構成により、施設内で作業する作業者に対して、送風ファンからの風を適切に送風することができ、作業環境が良くなり、快適に作業することができる。また、送風ファンはバッテリを電源として作動するので、エンジンを動力源にする場合に比べ、排気ガスの排出や温度上昇がなく、騒音も少ない。
【００１０】
ロ．上記Ｂ．の構成により、移動作業台車は施設内で作業しながら、あるいはどこででもソーラーパネルにより発電した電力をバッテリに充電することができる。従って、移動作業台車は、例えば、中山間地域の商業電気配線の整備されていない施設でも、適正に利用することができる。
【発明を実施するための最良の形態】
【００１１】
以下、本発明を実施するための最良の形態について、添付の図面を参照しながら具体的に説明する。
図１は、本発明による施設内移動作業台車の側面図、図２は、本発明によるソーラーパネルの側面図、図３は、本発明による電気回路図である。
【００１２】
図１及び図２において、符号１は、温室やビニールハウスなどの施設内において使用される移動作業台車で、この移動作業台車１は、車体フレーム２の後部に操縦ハンドル３を設け、前部に荷台枠４を設けている。車体フレーム２の下側には。左右一対の前輪及び後輪からなる走行車輪５を装備している。この走行車輪５は、本実施例では人力により駆動回転するものであるが、これを、例えば電動モータにより駆動回転するようにしてもよいものである。車体フレーム２上には、荷受け台６が設けられている。この荷受け台６に限らず、車体フレーム２上には各種の作業装置を設けても良いものである。
【００１３】
前記車体フレーム２の後部で前記操縦ハンドル３の前側に位置して、パイプ状の送風ファン用外側支柱７が立設され、この送風ファン用外側支柱７には、送風ファン用内側支柱９が摺動可能に嵌挿され、該内側支柱９は、外側支柱７の上部に設けた固定ネジ８の締め付け、弛緩により、上下高さ、水平角度調節が可能となっている。送風ファン用内側支柱９の上端部には、左右の支持枠１０を介して送風ファン１１が支持されている。支持枠１０，１０に支持された送風ファン１１は、前後角度調節用グリップ１２により前後角度が調節可能である。従って、送風ファン１１は、上下高さ、水平角度、前後角度がそれぞれ調節可能であり、送風ファン１１で発生した風を、移動作業台車１を操縦ハンドル３により操縦する作業者や、移動作業台車１が通る通路の両側で作業する作業者に対して適切に送風することができる。
【００１４】
前記車体フレーム２の下側には、バッテリ支持台１３ａによりバッテリ１３が搭載されている。このバッテリ１３は、前記送風ファン１１の電源となるものである。その他、走行車輪５を電動モータにより駆動回転するような場合にはその電源として、また、車体フレーム２上に各種の作業装置を設けた場合の電源としても利用される。該バッテリ１３には、後述するソーラーパネル１６により発電された電力が充電される。
【００１５】
前記車体フレーム２の前側の、前記荷台枠４の手前に位置して、ソーラパネル用支柱１４が立設され、該支柱１４に、２本の支持アーム１５に支持された２枚のソーラーパネル１６が、水平方向に回動可能に支持されている。また、２枚のソーラーパネル１６は、前後角度調節支持部材１７を介して支持アーム１５の上端部に、前後角度を調節可能に支持されている。従って、ソーラーパネル１６は、水平方向の回動と前後の角度を調節することにより、受光方向及び受光角度を自由に調節することができる。
【００１６】
図３に、前記ソーラーパネル１６と、バッテリ１３と、送風ファン１１との間の電気回路図を示す。ソーラーパネル１６から、バッテリ１３及び送風ファン１１に至る回路には、充電確認ランプ１８及びダイオード１９が介装され、また、バッテリ１３及び送風ファン１１には、それぞれバッテリスイッチ１３ｂ及び送風ファンスイッチ１１ａが設けられている。この電気回路図に基づくスイッチボックス２０が、前記操縦ハンドル３に設けられ、該スイッチボックス２０に、送風ファンスイッチ１１ａ、充電確認ランプ１８、２１などが配設されている。
【００１７】
このような構成の送風ファン１６を備えた施設内で使用される移動作業台車１においては、施設内で、作業者が操縦ハンドル３を持って移動作業台車１を押していどうさせながら作業するときに、送風ファン１６を作業者に向けて送風することにより、作業者は快適に作業することができる。また、この作業の間にも、ソーラーパネル１６により発電された電力はバッテリ１３に充電され、ソーラーパネル１６の充電量が低下することがない。このため、移動作業台車１は、中山間地域の商業電気配線の整備されていない、即ち、バッテリ１３への充電施設がない施設でも、適正に利用することができる。
【産業上の利用可能性】
【００１８】
本発明の送風ファンを備えた施設内移動作業台車は、施設内で作業する作業者に対して、送風ファンからの風を適切に送風することができ、快適に作業することができる。また、移動作業台車は、中山間地域の商業電気配線の整備されていない施設でも、適正に利用することができる。
【図面の簡単な説明】
【００１９】
【図１】本発明による施設内移動作業台車の側面図である。
【図２】本発明によるソーラーパネルの側面図である。
【図３】本発明による電気回路図である。
【符号の説明】
【００２０】
１  移動作業台車
２  車体フレーム
３  操縦ハンドル
４  荷台枠
５  走行車輪
６  荷受け台
７  送風ファン用外側支柱
８  固定ネジ
９  送風ファン用内側支柱
１０  支持枠
１１  送風ファン  １１ａ  送風ファンスイッチ
１２  前後角度調節用グリップ
１３  バッテリ １３ａ  バッテリ支持台  １３ｂ  バッテリスイッチ
１４  ソーラパネル用支柱
１５  支持アーム
１６  ソーラーパネル
１７  前後角度調節支持部材
１８  充電確認ランプ
１９  ダイオード
２０  スイッチボックス
２１  充電スイッチ
【図１】
2006000073.tif 000003
【図２】
2006000073.tif 000004
【図３】
2006000073.tif 000005